(57)【要約】      （修正有）【課題】月歴の記されたカード片の着脱が自在でメモや予定などを書き込みやすく、使用済みとなって廃棄する際には解体や分別廃棄をしなくてもよいオール紙製の卓上カレンダーを提供する。 【解決手段】本考案による卓上カレンダーは、月暦が記された略矩形状のカード片（１０）と、該カード片を保持するための略三角形状の支持台（１）で構成されている。そして該支持台上部の両端に該カード片を吊着するための突片部（６）が設けてあり、カード片に開けられた掛け孔（１１）を該突片部に通すことで吊着する構造となっている。該突片部は、支持台側面から上方に向かう刺股形状となっており、リングのような閉じられた環状ではなく上部が開放されているため、カード片が簡単に着脱できる構造となっている。したがって、カード片のかけ替えや裏返しが自在で、文字を書き込む際には所望のカード片を支持台から取り外して机上に置いて記入することができる。【選択図】図１
0003204831.tif 000002
【実用新案登録請求の範囲】
【請求項１】
暦の情報を記した複数枚の略矩形状のカード片と、
前記カード片を保持する略三角形状の支持台からなる卓上カレンダーにおいて、
前記支持台が略矩形状の前面部と後面部と左右２つの略三角形状の側面部からなり、
前記側面部の上端には前記カード片を吊着するための突片部をそれぞれ設け、
前記カード片の上方部分の左右２か所に前記突片部に対応した掛け孔を設けたことを特徴とする卓上カレンダー
【請求項２】
前期側面部の上端に設けた突片部が、付け根から上方に向かう刺股形状となっていることを特徴とする請求項１記載の卓上カレンダー
【請求項３】
前期刺股形状の突片部の中央にほぼ直線状の部位をもち、該直線状の部位の両端からそれぞれ上方に屈曲する先端部を設けたことを特徴とする請求項１または２記載の卓上カレンダー
【請求項４】
前記突片部の先端の幅が、前記カード片に設けられた掛け孔の縦幅よりも十分に小さく、前記カード片を突片部で吊着した状態では該突片部の幅が前記カード片に設けられた掛け孔の縦幅よりも僅かに狭いことを特徴とする請求項１ないし３のいずれか一項に記載の卓上カレンダー
【請求項５】
前記支持台が前面部と後面部と底面部と左右２つの側面部の５つの部位で構成され、
それぞれの部位が一葉の紙片に連なって配置され、部位と部位の間に付けられた折り線に沿って折り曲げ、組み立てることによって形成されることを特徴とする請求項１ないし４のいずれか一項に記載の卓上カレンダー
【請求項６】
前記カード片の側辺から突設した側突部を有することを特徴とする請求項１ないし５のいずれか一項に記載の卓上カレンダー
【考案の詳細な説明】
【技術分野】
【０００１】
本考案は、机やテーブルの上に載置して使用される卓上カレンダーに関する。
【背景技術】
【０００２】
従来から机やテーブルの上に載置して使用される卓上カレンダーとしては様々なものが提案されており、例えば下記特許文献１に記載されたものが知られている。当該卓上カレンダーは、両端が開口されて三角筒状に折り曲げられた支持台を有し、支持台の頂点部分がリング状の連結リングで連結されている。さらに、複数枚の暦片が支持台に支持され、これらの暦片は連結リングの周りに回動させて１枚ずつ捲られるようになっている。
【先行技術文献】
【特許文献】
【０００３】
【特許文献１】特開２０１０-２４７５０７号公報
【特許文献２】実用新案登録第３１２９６３３号広報
【特許文献３】実用新案登録第３１９７７６５号広報
【考案の概要】
【考案が解決しようとする課題】
【０００４】
前記特許文献１および２に開示される卓上カレンダーでは暦片と支持台がリング状の連結リングで連結されているが、暦片にメモや予定などを書き込むときに暦片の裏側が安定していないので文字が書きづらく、無理やり押さえ付けて書くと支持台がつぶれてしまい自立できないほどに変形してしまうなどの欠点があった。また、使用済みとなって廃棄する際には、金属や樹脂からなるリング部分と紙製の本体とを解体して分別廃棄しなくてはならないという問題があった。
【０００５】
前記特許文献３に開示される卓上カレンダーはオール紙製なので廃棄する際に解体の手間がかからず、また暦片が支持台から着脱できるようになっているが、環状部に暦片を着脱する際に暦片を曲げて変形させたり、暦片を捲る際にも引っ掛かりがあってスムーズに捲ることができないという欠点があった。また環状部の屈曲がきつくて暦片を重ねた時に収まりが悪いという問題があった。
【０００６】
本考案が解決しようとする課題は、暦片にメモを書き込みやすくかつ支持台や暦片の変形がなく、暦片を重ねた状態でもきれいに収まり、さらに廃棄するときにも材料ごとに解体して分別廃棄するといった手間のかからない卓上カレンダーを提供することである。
【課題を解決するための手段】
【０００７】
上記の課題を解決するために、本考案は以下の構成からなるオール紙製のフック式卓上カレンダーを考案した。本考案は図１にあるような略三角形状の支持台（１）と、該支持台の上部両端に位置する突片部（６）に吊着するための掛け孔（１１）を設けたカード片（１０）とで構成される。該カード片（１０）は複数枚からなり、更にそれぞれのカード片には月歴が印刷されており、月が替われば図２のように取り外しが簡単にできるようになっている。
【考案の効果】
【０００８】
本考案にあっては次に列挙する効果が得られる。    
【０００９】
月歴等が記されたカード片を歪めたりすることなく簡単に支持台から取り外しがができるので、カード片の入れ替えや裏返しなどを簡単に行うことができる。
【００１０】
月歴等が記されたカード片に予定を書き込む際に、前述したように該カード片は簡単に取り外して机上に置くことができるので、文字の記入がし易くかつ支持台への外力による変形がない。
【００１１】
支持台とカード片の連結部が環状の場合、カード片に厚みがあると吊着した時にきれいにカード片同士が重ならないが、本考案の卓上カレンダーではカード片に厚みがあってもカード片の上辺と下辺がきれいに揃う。
【００１２】
支持台もカード片もオール紙製なので、廃棄する時に連結部のリング材料と紙材料とを解体する必要が無く、そのまま廃棄することができる。
【００１３】
需要者に提供する際には、その形態が一葉の紙片となっているので、配送や配布の効率が良く、配送コストも安価にすることができる。
【００１４】
カード片の側辺部にある側突部によって、カード片が重なり合ってもそれが見出しとなって所望のカード片をすぐに見つけることができる
【図面の簡単な説明】
【００１５】
【図１】卓上カレンダーを構成する支持台とカード片の外観図
【図２】卓上カレンダーを使用する時の斜視図
【図３】カード片を吊着するときの側面図
【図４】カード片にメモ書きする時の外観図
【図５】支持台の展開図
【図６】カード片を支持台から取り外す時の外観図
【図７】カード片を重ねた時の側面図
【図８】従前のリング式と本考案の吊着式とを比較した斜視図
【考案を実施するための形態】
【００１６】
本考案による卓上カレンダーは、図１にあるとおり、月暦が印刷された略矩形状のカード片（１０）と、該カード片を保持するための略三角形状の支持台（１）で構成されている。該支持台の上部の両端には該カード片を吊着するための突片部（６）が設けてあり、カード片に開けられた掛け孔（１１）を該突片部に通すことで吊着する構造となっている。該突片部は、支持台から上方に向かう刺股形状となっており、リングのような閉じられた環状ではなく上部が開放されているため、カード片を簡単に着脱できる構造となっている。
【００１７】
そして図３に示すように、刺股形状の突片部の中央にはほぼ直線状の部位（１４）が設けてあり、複数のカード片を重ねた状態でもきれいに上端が揃うような構造になっている。
【００１８】
そして前述の支持台は、図５に示すように一葉の紙片で提供されて使用直前に使用者自身が組み立てる形態なので、生産者から使用者までの配送が効率的で、使用後に廃棄する場合でも全て紙製なのでそのまま廃棄することができる。
【００１９】
また、複数枚が重ね合わさったカード片の中から所望のカード片を見つけやすくするために、それぞれのカード片には図２で図示されるようにその側辺に見出し部分となる側突部（１３）を設けている。
【実施例】
【００２０】
以下、図面にしたがい本考案の実施例を説明する。
請求項１乃至２記載の卓上カレンダーの構成について、図１、図２、図４、図６および図８を用いて説明する。該卓上カレンダーは、図１にあるように月暦が記された略矩形状のカード片（１０）と、該カード片を保持するための支持台（１）で構成されている。該支持台は、矩形状の前面部（２）と後面部（３）、そして左右に設けられた略三角形状の側面部（５）、そして底面部（４）とで構成されるくさび型の略三角形状をとっている。該支持台の左右を構成する三角形状の側面部には、その上端から上方に向かう刺股形状の突片部（６）を設けている。前記カード片にはその上方の左右２箇所に、前記突片部に吊着するための掛け孔（１１）が開けられており、前記支持台からカード片が着脱自在となる構造になっている。また、前記突片部は刺股形状となっているので、図２のようにカード片を前面部側にあるいは後面部側に吊着することができる構造となっている。また、図６にあるようにカード片をひっくり返して裏面を外側に向けて吊着することもできる。さらにこの刺股形状の突片部によって、カード片に手書きするような場合において従前の環状型にはない便益を提供することができる。図８の上図は従前のリング式卓上カレンダーであるが、これは手書きするときに支持台に外力がかかるので変形してしまうし、下地が不安定で文字がうまく書けないという問題があった。これを繰り返すと支持台は折れ曲がって最終的には自立できない状態になってしまう。しかしカード片を突片部に吊着する形状であれば、図４のようにカード片を支持台から取り外して下地が安定している机上で楽に文字を書き込むことができる。
【００２１】
請求項３乃至４記載の卓上カレンダーの構成について、図３、図４および図７を用いて説明する。前記刺股形状の突片部（６）には、その中央部にほぼ真っ直ぐな直線部位（１４）が設けてあり、その左右両端から上方に屈曲して先端部が突設される形状となっている。この形状を採ることで、カード片が重なった状態で吊着されてもその上端がきれいに揃い、カード片の１枚１枚がきれいに重ねられた状態となる。図７左側図のように厚みのあるカード片をリング状のもので括るとカード片の下方に行くに従い離れてしまいきれいに重ならない。しかし本考案では刺股形状の突片部の中央部分に直線部位を設けているので図７右側図のようにカード片がきれいに重ね合わされるのである。そして図３上図のように、該突片部（６）はその先端部の幅（１５）をカード片の掛け孔の縦幅（図４の１２）よりも十分に小さくしてその着脱がスムーズとなるようにし、カード片が吊着される突片部の付け根あたりの幅（１６）は、カード片の掛け孔の縦幅より僅かに広くすることでカード片の上下方向のがたつきを押さえている。
【００２２】
請求項５記載の卓上カレンダーの構成について、図５を用いて説明する。前記支持台（１）は、図５のように前面部（２）と後面部（３）と底面部（４）と左右２つの側面部（５）の５つの部位で構成され、それぞれの部位が一葉の紙片に連なって配置され、部位と部位の間に付けられた折り線に沿って折り曲げ、組み立てることによって形成される。後面部の左右には折り代（８）を付けてその境目に差し込み孔（９）を設け、側面部に突設した差し込み部（７）を係合することで支持台の三角形状が支持される。
【００２３】
請求項６記載の卓上カレンダーの構成について図２を用いて説明する。前記カード片（１０）の側辺に側突部（１３）を設け、該側突部にはカード片の見出し情報が記されている。例えばカード片が１月の月歴カードであれば、“１月”という見出しを記しておく。該側突部の上下方向の位置は、複数枚のカード片を重ねた時に前後のカード片との見出しが重ならないように上下にずらして配置する。カード片にこのような側突部を設置することで所望のカード片を探しやすくなり、また側突部を指でつまんでカード片を着脱したりすることができる。
【産業上の利用可能性】
【００２４】
最近は環境負荷の少ないエコグッズが関心を集めているが、使い勝手がよくまた廃棄するときも手間のかからないオール紙製の卓上カレンダーは需要が大きい。また提供される荷姿が配布や郵送がし易い紙葉形状なので、イベントでのノベルティとして配布したり、ダイレクトメールに同封したり、あるいは雑誌や書籍の綴じ込み付録として利用される。
【符号の説明】
【００２５】
（１）    卓上カレンダーの土台となる略三角形状の支持台
（２）    支持台の前面部
（３）    支持台の後面部
（４）    支持台の底面部
（５）    支持台の側面部
（６）    側面部上端の突片部
（７）    側面部に設けられた差し込み部
（８）    折り代
（９）    差し込み孔
（１０）  月暦が印刷されたカード片
（１１）  カード片に設けた掛け孔
（１２）  掛け孔の縦幅
（１３）  カード片の側突部
（１４）  突片部の直線部位
（１５）  突片部の先端部の幅
（１６）  突片部の付け根あたりの幅
【図１】
0003204831.tif 000003
【図２】
0003204831.tif 000004
【図３】
0003204831.tif 000005
【図４】
0003204831.tif 000006
【図５】
0003204831.tif 000007
【図６】
0003204831.tif 000008
【図７】
0003204831.tif 000009
【図８】
0003204831.tif 000010